【手続補正書】
【提出日】平成17年4月13日(2005.4.13)
【手続補正１】
【補正対象書類名】明細書
【補正対象項目名】特許請求の範囲
【補正方法】変更
【補正の内容】
【特許請求の範囲】
【請求項１】
ノズルに設けられた吐出孔から局部洗浄水を吐出して人体局部を洗浄する局部洗浄装置において、局部の汚物等を洗い落とす洗浄能力を、前記局部洗浄水の流速に関わらず独立して、所定の範囲に制御する洗浄能力制御手段を備えることを特徴とする局部洗浄装置。
【請求項２】
前記洗浄能力制御手段は、局部洗浄水の瞬間吐出水量を制御する請求項１記載の局部洗浄装置。
【請求項３】
前記洗浄能力制御手段は、局部洗浄水の洗浄水空間容積率を制御する請求項１又は２記載の局部洗浄装置。
【請求項４】
前記洗浄能力制御手段は、局部洗浄水による局部洗浄面積を制御する請求項１〜３のいずれか記載の局部洗浄装置。
【請求項５】
前記洗浄能力制御手段は、洗浄能力を一定に制御する請求項１〜４のいずれか記載の局部洗浄装置。
【請求項６】
前記洗浄能力制御手段は、前記洗浄能力を設定する洗浄能力設定部を備え、前記洗浄能力を該洗浄能力設定部にて設定された設定値に制御する請求項１〜４のいずれか記載の局部洗浄装置。
【請求項７】
ノズルに設けられた吐出孔から局部洗浄水を吐出して人体局部を洗浄する局部洗浄装置において、局部の汚物等を洗い落とす洗浄能力を、前記局部洗浄水による局部洗浄面積に関わらず独立して、所定の範囲に制御する洗浄能力制御手段を備えることを特徴とする局部洗浄装置。
【請求項８】
前記洗浄能力制御手段は、局部洗浄水の瞬間吐出水量を制御する請求項７記載の局部洗浄装置。
【請求項９】
前記洗浄能力制御手段は、局部洗浄水の洗浄水空間容積率を制御する請求項７又は８記載の局部洗浄装置。
【請求項１０】
前記洗浄能力制御手段は、局部洗浄水の流速を制御する請求項７〜９のいずれか記載の局部洗浄装置。
【請求項１１】
前記洗浄能力制御手段は、洗浄能力を一定に制御する請求項７〜１０のいずれか記載の局部洗浄装置。
【請求項１２】
前記洗浄能力制御手段は、前記洗浄能力を設定する洗浄能力設定部を備え、前記洗浄能力を該洗浄能力設定部にて設定された設定値に制御する請求項７〜１０のいずれか記載の局部洗浄装置。
【手続補正２】
【補正対象書類名】明細書
【補正対象項目名】００１５
【補正方法】変更
【補正の内容】
【００１５】
【課題を解決するための手段及び作用・効果】
本発明は、ノズルに設けられた吐出孔から局部洗浄水を吐出して人体局部を洗浄する局部洗浄装置において、洗浄面積Ａ及び洗浄強度ｅの増減に応じて局部洗浄能力が増減する点に着眼してなされたものであり、従来ない洗浄の制御方法で洗浄する局部洗浄装置を提供することができる。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
請求項１は、ノズルに設けられた吐出孔から局部洗浄水を吐出して人体局部を洗浄する局部洗浄装置において、局部の汚物等を洗い落とす洗浄能力を、前記局部洗浄水の流速に関わらず独立して、所定の範囲に制御する洗浄能力制御手段を備えたので、使用者が局部洗浄水の流速ｖの大きいハードな洗浄感を好む場合や局部洗浄水の流速ｖの小さいソフトな洗浄感を好む場合に関わらず、適切な洗浄能力を確保できる瞬間吐出水量Ｑや洗浄水空間容積率ρや洗浄面積Ａを制御することによって、洗浄能力を所定の範囲に制御することができる。
【手続補正５】
【補正対象書類名】明細書
【補正対象項目名】００１８
【補正方法】変更
【補正の内容】
【００１８】
請求項２は、洗浄能力制御手段を、局部洗浄水の瞬間吐出水量を制御する洗浄能力制御手段としたので、使用者が局部洗浄水の流速ｖの大きいハードな洗浄感を好む場合や局部洗浄水の流速ｖの小さいソフトな洗浄感を好む場合に関わらず、瞬間吐出水量Ｑを制御することにより、洗浄能力を所定の範囲に制御することができる。特に、使用者が局部洗浄水の流速ｖの大きいハードな洗浄感を好むほど、洗浄能力の所定の範囲に合わせて瞬間吐出水量Ｑを低減できるので、節水性の高い洗浄を行うことができ、従来の局部洗浄装置のように使用者が局部洗浄水の流速ｖの大きいハードな洗浄感を好むほど、過剰な洗浄能力で洗浄するといった不具合もない。
【手続補正６】
【補正対象書類名】明細書
【補正対象項目名】００１９
【補正方法】変更
【補正の内容】
【００１９】
請求項３は、洗浄能力制御手段を、局部洗浄水の洗浄水空間容積率を制御する洗浄能力制御手段としたので、使用者が局部洗浄水の流速ｖの大きいハードな洗浄感を好む場合や局部洗浄水の流速ｖの小さいソフトな洗浄感を好む場合に関わらず、洗浄水空間容積率ρを制御することにより、洗浄能力を所定の範囲に制御することができる。特に、使用者が局部洗浄水の流速ｖの大きいハードな洗浄感を好むほど、洗浄密度ρを低減できるので、節水性の高い洗浄を行うことができ、従来の局部洗浄装置のように使用者が局部洗浄水の流速ｖの大きいハードな洗浄感を好むほど、過剰な洗浄能力で洗浄するといった不具合もない。
【手続補正７】
【補正対象書類名】明細書
【補正対象項目名】００２０
【補正方法】変更
【補正の内容】
【００２０】
請求項４は、洗浄能力制御手段を、局部洗浄水による局部洗浄面積を制御する洗浄能力制御手段としたので、使用者が局部洗浄水の流速ｖの大きいハードな洗浄感を好む場合や局部洗浄水の流速ｖの小さいソフトな洗浄感を好む場合に関わらず、局部洗浄面積Ａを制御することにより、洗浄能力を所定の範囲に制御することができる。特に、使用者が局部洗浄水の流速ｖの大きいハードな洗浄感を好むほど、瞬間吐出流量Ｑを上げることなく更に広い面積Ａを洗浄することができるので、初めから局部の意図するところの洗浄ができない場合でも流量を増加させることなく適切な洗浄能力を確保しながら広い面積を洗浄でき、従来の局部洗浄装置のように使用者が局部洗浄水の流速ｖの大きいハードな洗浄感を好むほど、過剰な洗浄能力で洗浄するといった不具合もない。但し、制御する局部洗浄面積Ａは洗浄能力の要求品質に合わせた洗浄面積Ａ０以上である必要がある。
【手続補正８】
【補正対象書類名】明細書
【補正対象項目名】００２１
【補正方法】変更
【補正の内容】
【００２１】
請求項５は、洗浄能力制御手段を、洗浄能力を一定に制御する洗浄能力制御手段としたので、使用者の好みに合わせて、一定の洗浄能力を確保できるように瞬間吐出水量Ｑや局部洗浄水流速ｖや洗浄水空間容積率ρや洗浄面積Ａを制御でき、多岐にわたる使用者の洗浄の好みに十分対応させつつ一定の安定した洗浄能力で洗浄することができる。
【手続補正９】
【補正対象書類名】明細書
【補正対象項目名】００２２
【補正方法】変更
【補正の内容】
【００２２】
請求項６は、洗浄能力制御手段を、前記洗浄能力を設定する洗浄能力設定部とし、前記洗浄能力を該洗浄能力設定部にて設定された設定値に制御する洗浄能力制御手段としたので、使用者の好みに合わせて、洗浄能力を設定された設定値になるように瞬間吐出水量Ｑや局部洗浄水流速ｖや洗浄水空間容積率ρや洗浄面積Ａを制御でき、多岐にわたる使用者の洗浄の好みに十分対応させつつ安定した洗浄能力で洗浄することができる。
【手続補正１０】
【補正対象書類名】明細書
【補正対象項目名】００２３
【補正方法】変更
【補正の内容】
【００２３】
請求項７は、ノズルに設けられた吐出孔から局部洗浄水を吐出して人体局部を洗浄する局部洗浄装置において、局部の汚物等を洗い落とす洗浄能力を、前記局部洗浄水による局部洗浄面積に関わらず独立して、所定の範囲に制御する洗浄能力制御手段を備えたので、使用者が局部洗浄面積Ａの大きいワイドな洗浄を好む場合や局部洗浄面積Ａの小さいスポット的な洗浄を好む場合に関わらず、適切な洗浄能力を確保できる瞬間吐出水量Ｑや洗浄水空間容積率ρや洗浄水流速ｖを制御することによって、洗浄能力を所定の範囲に制御することができ、使用者が自分で意図した部分を洗浄できないような場合等も初めに局部洗浄面積Ａの大きいワイドな洗浄に設定しておけば、適切な洗浄能力で洗浄面積の大きい洗浄を行うことができる。
【手続補正１１】
【補正対象書類名】明細書
【補正対象項目名】００２４
【補正方法】変更
【補正の内容】
【００２４】
請求項８は、洗浄能力制御手段を、局部洗浄水の瞬間吐出水量を制御する洗浄能力制御手段としたので、使用者が局部洗浄面積Ａの大きいワイドな洗浄を好む場合や局部洗浄面積Ａの小さいスポット的な洗浄を好む場合に関わらず、瞬間吐出水量Ｑを制御することにより、洗浄能力を所定の範囲に制御することができ、使用者が自分で意図した部分を洗浄できないような場合等も初めに局部洗浄面積Ａの大きいワイドな洗浄に設定しておけば、適切な洗浄能力で洗浄面積の大きい洗浄を行うことができる。
【手続補正１２】
【補正対象書類名】明細書
【補正対象項目名】００２５
【補正方法】変更
【補正の内容】
【００２５】
請求項９は、洗浄能力制御手段を、局部洗浄水の洗浄水空間容積率を制御する洗浄能力制御手段としたので、使用者が局部洗浄面積Ａの大きいワイドな洗浄を好む場合や局部洗浄面積Ａの小さいスポット的な洗浄を好む場合に関わらず、洗浄水空間容積率ρを制御することにより、洗浄能力を所定の範囲に制御することができ、使用者が自分で意図した部分を洗浄できないような場合等も初めに局部洗浄面積Ａの大きいワイドな洗浄に設定しておけば、適切な洗浄能力で洗浄面積の大きい洗浄を行うことができる。
【手続補正１３】
【補正対象書類名】明細書
【補正対象項目名】００２６
【補正方法】変更
【補正の内容】
【００２６】
請求項１０は、洗浄能力制御手段を、局部洗浄水の流速を制御する洗浄能力制御手段としたので、使用者が局部洗浄面積Ａの大きいワイドな洗浄を好む場合や局部洗浄面積Ａの小さいスポット的な洗浄を好む場合に関わらず、局部洗浄水の流速ｖを制御することにより、洗浄能力を所定の範囲に制御することができ、使用者が自分で意図した部分を洗浄できないような場合等も初めに局部洗浄面積Ａの大きいワイドな洗浄に設定しておけば、適切な洗浄能力で洗浄面積の大きい洗浄を行うことができる。
【手続補正１４】
【補正対象書類名】明細書
【補正対象項目名】００２７
【補正方法】変更
【補正の内容】
【００２７】
請求項１１は、洗浄能力制御手段を、洗浄能力を一定に制御する洗浄能力制御手段としたので、使用者の好みに合わせて、一定の洗浄能力を確保できるように瞬間吐出水量Ｑや局部洗浄水流速ｖや洗浄水空間容積率ρを制御でき、多岐にわたる使用者の洗浄の好みに十分対応させつつ一定の安定した洗浄能力で洗浄することができる。
【手続補正１５】
【補正対象書類名】明細書
【補正対象項目名】００２８
【補正方法】変更
【補正の内容】
【００２８】
請求項１２は、洗浄能力制御手段を、前記洗浄能力を設定する洗浄能力設定部とし、前記洗浄能力を該洗浄能力設定部にて設定された設定値に制御する洗浄能力制御手段としたので、使用者の好みに合わせて、洗浄能力を設定された設定値になるように瞬間吐出水量Ｑや局部洗浄水流速ｖや洗浄水空間容積率ρを制御でき、多岐にわたる使用者の洗浄の好みに十分対応させつつ安定した洗浄能力で洗浄することができる。